(57)【特許請求の範囲】
【請求項１】
通信ネットワークを介して複数の送信先装置へデータを送信する同報送信の機能を備えた送信装置であって、
所定の表示画面を表示すると共に、ジェスチャーを含む操作入力を受付可能なタッチパネルと、
同報送信の実行を指示する操作入力を受付可能な同報送信指示受付部と、
前記同報送信指示受付部が同報送信の実行を指示する操作入力を受付けた場合に、同報送信のジョブを実行する同報送信ジョブ実行部と、
前記同報送信指示受付部が同報送信の実行を指示する操作入力を受付けた場合に、送信ジョブに対応するジョブ識別画像を前記タッチパネルに表示させる同報送信ジョブ表示制御部と、
前記タッチパネルに対して行われたジェスチャーの領域を検出するジェスチャー検出部と、
前記ジェスチャー検出部によって検出されたジェスチャーの領域が、前記ジョブ識別画像に対応する領域であると、当該ジョブ識別画像に対応する送信ジョブを実行しないように前記同報送信ジョブ実行部を制御する同報送信ジョブ実行制御部と、を備え、
前記ジョブ識別画像は、送信ジョブを前記送信先装置へ送信する接続ラインを表す接続ライン画像を含み、
前記同報送信ジョブ実行制御部は、前記ジェスチャー検出部によって前記タッチパネルに表示される前記接続ライン画像を横切るジェスチャーの領域が検出されると、当該接続ライン画像を含むジョブ識別画像に対応する送信ジョブを実行しないよう前記同報送信ジョブ実行部を制御する
送信装置。
【請求項２】
前記同報送信ジョブ実行制御部は、前記ジェスチャー検出部によって前記タッチパネルに表示される前記接続ライン画像を横切るジェスチャーの領域が検出された場合に、当該接続ライン画像を含むジョブ識別画像に対応する送信ジョブが実行中であれば、当該送信ジョブを実行しないよう前記同報送信ジョブ実行部を制御すると共に、当該送信ジョブの実行する順番を他の送信ジョブよりも繰り下げるように前記同報送信ジョブ実行部を制御する
請求項１に記載の送信装置。
【請求項３】
前記同報送信ジョブ実行制御部は、前記ジェスチャー検出部によって前記タッチパネルに表示される前記接続ライン画像を横切るジェスチャーの領域が検出された場合に、当該接続ライン画像を含むジョブ識別画像に対応する送信ジョブが実行中であれば、当該送信ジョブを実行しないで保留するよう前記同報送信ジョブ実行部を制御する請求項１に記載の送信装置。
【請求項４】
前記同報送信ジョブ実行制御部によって前記送信ジョブの実行が保留されるよう制御された場合、前記タッチパネルは、前記送信ジョブの実行が保留されたことを示すアイコンを表示する
請求項３に記載の送信装置。
【発明の詳細な説明】
【技術分野】
【０００１】
本発明は、同報送信の機能を備えた送信装置に関する。
【背景技術】
【０００２】
ファクシミリ装置や複合機等の機器は、送信装置として、ユーザーの入力した宛先情報に対応する送信先装置にデータを送信することができる。また、このような機器は、送信装置として、同じデータを複数の送信先装置に一斉に送信する、いわゆる同報送信の機能を備えている。同報送信においては、送信先装置が数百件に及ぶことがあるため、宛先情報の入力間違いをなくすための各種ユーザーインターフェイスが提案されている。
【０００３】
例えば、ユーザーに対し宛先情報に間違いがないか否かを確認させたり、ユーザーに宛先情報を２度入力させたりすることにより、宛先情報の入力間違いを減らすことが提案されている。また、複数のグループにおいて共通に登録された送信先がある場合に、送信先の重複を自動的に検出すると共に、重複を検出した送信先への発呼を１回のみとしたり、重複する送信先を削除したりするファクシミリが提案されている（特許文献１参照）。
【先行技術文献】
【特許文献】
【０００４】
【特許文献１】特開平５−２１９０７４号（特許第３０６８１２２号）公報
【発明の概要】
【発明が解決しようとする課題】
【０００５】
上述のように、従来の送信装置は、送信前に宛先情報の入力間違いを検出したり、重複する送信先を検出したりする機能を備えている。しかし、ユーザーがデータの送信を指示した後に送信先の間違いに気付くこともある。その場合、従来の送信装置では、送信中又は待機中の送信ジョブをキャンセルするために、予め設定された手順に従って操作を行う必要があった。そのため、ユーザーにとって、送信ジョブをキャンセルする操作が煩雑になるだけでなく、キャンセルの操作に時間がかかるという課題があった。また、送信モードによっては、送信ジョブをキャンセルする操作を送信ジョブ毎に実行する必要があった。そのため、キャンセルしたい送信ジョブが複数ある場合において、１つの送信ジョブをキャンセルする操作をしている間に、キャンセルしたい他の送信ジョブの実行が完了してしまうこともあった。
【０００６】
本発明は、同報送信の実行中において、ユーザーが送信ジョブを速やかにキャンセルすることができる送信装置を提供することを目的とする。
【課題を解決するための手段】
【０００７】
本発明に係る送信装置は、通信ネットワークを介して複数の送信先装置へデータを送信する同報送信の機能を備えた送信装置であって、所定の表示画面を表示すると共に、ジェスチャーを含む操作入力を受付可能なタッチパネルであって、表示面を有する表示部及び当該表示部の前記表示面側に配置され、接触物の位置及び／又は領域を検出すると共に、検出した情報である操作位置情報を出力可能なセンサ部を有するタッチパネルと、同報送信の実行を指示する操作入力を受付可能な同報送信指示受付部と、前記同報送信指示受付部が同報送信の実行を指示する操作入力を受付けた場合に、複数の送信ジョブを所定の順番で実行する同報送信ジョブ実行部と、前記同報送信指示受付部が同報送信の実行を指示する操作入力を受付けた場合に、送信ジョブ毎に、送信ジョブを識別する情報及び当該送信ジョブの通信状態を示すジョブ識別子を前記表示面に表示させる同報送信ジョブ表示制御部と、前記タッチパネルから出力された前記操作位置情報に基づいて、前記タッチパネルに対して行われた前記接触物によるジェスチャーの領域を検出するジェスチャー検出部と、前記ジェスチャー検出部で検出されたジェスチャーの領域が、前記複数のジョブ識別子のうち所定の１又は複数のジョブ識別子が表示された領域を含む所定領域の全部又は一部に対応する領域である場合に、前記所定の１又は複数のジョブ識別子に対応付けられた送信ジョブのうち、未送信の送信ジョブを実行しないように前記同報送信ジョブ実行部を制御する同報送信ジョブ実行制御部と、を備える。
【発明の効果】
【０００８】
本発明によれば、同報送信の実行中において、ユーザーが送信ジョブを速やかにキャンセルすることができる送信装置を提供することができる。
【図面の簡単な説明】
【０００９】
【図１】画像形成システム３００の全体構成を説明するための図である。
【図２】複合機１の全体構成を説明するための図である。
【図３】複合機１の機能的な構成を示すブロック図である。
【図４】同報送信においてタッチパネル１００の表示面１１２に表示される表示画面１１１の一例を示す説明図である。
【図５】制御部９０が同報送信を実行する場合の処理手順を示すフローチャートである。
【図６】同報送信の実行中に表示面１１２に表示される表示画面１１１を示す説明図である。
【図７】同報送信の実行中に表示面１１２に表示される表示画面１１１を示す説明図である。
【図８】同報送信の実行中に表示面１１２に表示される表示画面１１１を示す説明図である。
【図９】同報送信の実行中に表示面１１２に表示される表示画面１１１を示す説明図である。
【図１０】同報送信の実行中に表示面１１２に表示される表示画面１１１を示す説明図である。
【発明を実施するための形態】
【００１０】
以下、図面を参照して、本発明に係る送信装置の機能を備えた複合機１の一実施形態について説明する。図１は、複合機１を含む画像形成システム３００の全体構成を説明するための図である。図２は、複合機１の全体構成を説明するための図である。
【００１１】
まず、画像形成システム３００の全体構成について説明する。
図１に示すように、画像形成システム３００は、本発明に係る送信装置の機能を備えた複合機１と、複数の端末装置２００とが、ローカルエリアネットワーク等の通信ネットワークＮＷを介して相互に通信可能に接続されて構成される。図示のように、画像形成システム３００は、１の複合機１に対して複数の端末装置２００が接続可能に構成される。１の複合機１に対して複数の端末装置２００が接続可能とは、複数の端末装置２００が同時に接続されていることに加え、複数の端末装置２００のそれぞれが異なるタイミングで接続されることを含む。
【００１２】
端末装置２００としては、固定的に設置されたデスクトップ型の端末装置であってもよいし、ユーザーにより携帯可能なノート型の端末装置であってもよい。この場合の端末装置２００は、それぞれ固有のメールアドレス又はＦＴＰ（アドレス）を有する。また、端末装置２００としては、ファクシミリ機能を備えた複合機であってもよい。この場合の端末装置２００は、固有のファクシミリ番号を有する。
【００１３】
複合機１は、通信ネットワークＮＷを介して、それぞれの端末装置２００との間でデータの送受信を行うことができる。複合機１は、ユーザーが１の送信先に対応するメールアドレス、ＦＴＰ（アドレス）、ファクシミリ番号等（以下、「宛先情報」ともいう）を指定して送信ジョブの実行を指示することにより、１の端末装置２００に所定のデータを送信することができる。また、複合機１は、ユーザーが複数の送信先に対応する宛先情報及びデータを指定して送信ジョブの実行を指示することにより、複数の端末装置２００に所定のデータを同報送信することができる。本実施形態では、複合機１において、主に同報送信を実行するための構成及び機能について説明する。そのため、複合機１において、１の端末装置２００にデータを送信する場合の構成及び機能については説明を適宜に省略する。
【００１４】
なお、端末装置２００においても、通信ネットワークＮＷを介して、複合機１や他の端末装置２００へ所定のデータを送信（同報送信を含む）する機能を備える。
【００１５】
次に、複合機１の構成について説明する。
図２に示すように、本実施形態の複合機１は、電子写真方式の画像形成装置であり、原稿搬送部１０と、原稿読取部２０と、用紙搬送部３０と、画像形成部４０と、転写部５０と、定着部６０とを備える。
【００１６】
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇを複合機本体２の外部に排出する。
【００１７】
原稿排出部１５における複合機本体２の外側には、原稿集積部１６が形成される。原稿集積部１６には、原稿排出部１５から排出された原稿Ｇが積層して集積される。
【００１８】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図２に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１９】
また、原稿読取部２０は、照明部２３と、第１ミラー２４と、第２ミラー２５と、第３ミラー２６と、結像レンズ２７と、撮像部２８とを複合機本体２の内部に備える。照明部２３と第１ミラー２４とは、それぞれ副走査方向Ｘに移動する。第２ミラー２５と第３ミラー２６とは、図２において照明部２３及び第１ミラー２４の左側に配置される。更に、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００２０】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等を備えたイメージセンサーである。
【００２１】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被画像形成媒体）を転写部５０に供給する。第３送りローラー３２は、手差しトレイ３７に載置される用紙Ｔ（被画像形成媒体）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔを複合機本体２の外部に排出する。
【００２２】
用紙排出部３４における複合機本体２の外側には、排紙集積部３５が形成される。排紙集積部３５には、用紙排出部３４から排出された用紙Ｔが積層して集積される。
【００２３】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
【００２４】
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（不図示）によって感光体ドラム４１の表面が除電された後のその表面に残るトナー等を除去する。
【００２５】
トナーカートリッジ４６は、現像器４４に供給される各色のトナーを収容する。トナーカートリッジ４６と現像器４４とは、トナー供給路（不図示）により接続されている。
【００２６】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図２に示す矢印Ａ方向に進行させるための駆動ローラーである。
【００２７】
転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。更に、２次転写ローラー５１は、中間転写ベルト４８に１次転写されたトナー画像を用紙Ｔに２次転写させる。
【００２８】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２９】
次に、複合機１の機能的な構成について説明する。図３は、複合機１の機能的な構成を示すブロック図である。また、図４は、同報送信においてタッチパネル１００の表示面１１２に表示される表示画面１１１の一例を示す説明図である。
【００３０】
図３に示すように、複合機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。エンジン部３は、用紙Ｔに画像データに基づく画像を形成する。なお、図２を用いて説明した構成要素については、その説明を省略する。
【００３１】
また、複合機１は、上述した機能構成に加えて、操作部７０と、記憶部８０と、タッチパネル１００と、インターフェイス部１５０と、制御部９０とを備える。以下、この順番に説明する。
【００３２】
操作部７０は、テンキー、スタートキー（いずれも不図示）等を備える。テンキーは、ユーザーが複合機１に対して印刷部数等の数字を入力するために操作する入力装置である。スタートキーは、ユーザーが複合機１に対して各種処理（印刷の実行、同報送信を含む送信の実行等）を指示するために操作する入力装置である。操作部７０は、いずれかのキーが操作（押下）されることにより、そのキーが操作されたことを示す信号を制御部９０に出力する。なお、操作部７０に設定されたすべてのキー又は一部のキーを、タッチパネル１００（後述）に設けてもよい。
【００３３】
記憶部８０は、ハードディスクや半導体メモリー等から構成される。記憶部８０は、原稿読取部２０によって読み取られた原稿Ｇに基づく画像データを記憶する。また、記憶部８０は、複合機１において利用される制御プログラム、及びこの制御プログラムによって利用されるデータ等を記憶する。また、記憶部８０は、端末装置２００（図１参照）毎に設定されたメールアドレス、ＦＴＰ（アドレス）、ファクシミリ番号等を記憶する。更に、記憶部８０は、タッチパネル１００を介して設定された複数の送信ジョブを記憶する。
【００３４】
タッチパネル１００は、ユーザーによるジェスチャーを含む操作入力を受付可能な表示入力装置である。タッチパネル１００は、表示部１１０及びセンサ部１３０を備える。タッチパネル１００において、センサ部１３０は、表示部１１０の表示面側に重ねて配置されている。
【００３５】
表示部１１０は、図４に示すように、表示画面１１１を表示する表示面１１２を有する。表示面１１２には、例えば、印刷倍率の設定機能や、複数のページを１枚の用紙Ｔに割り付ける機能が割り当てられた各種の操作キーを含む表示画面１１１が表示される（図示を省略）。なお、図４は、本実施形態の同報送信において表示されるアイコンをすべて表示した場合の表示画面１１１を示している。すなわち、図４に示すアイコンは、同じ表示画面１１１に同時に表示されるものではなく、必要に応じて選択的に表示される。
【００３６】
また、同報送信の実行が指示されると、表示画面１１１には、送信ジョブ毎に、対応付けられたジョブ識別画像（ジョブ識別子）の表示画面１１１が表示される。図４に示す例では、表示面１１２に、９件の送信ジョブに対応付けられたジョブ識別画像Ｊ１〜Ｊ９を含む表示画面１１１が表示されている。
【００３７】
ユーザーは、データを送信する送信先の宛先情報を、タッチパネル１００を介して選択する。すなわち、ユーザーは、タッチパネル１００の表示面１１２に送信先と宛先情報とが対応付けられたリストを含む表示画面１１１を表示させ（不図示）、そのリストの中からデータを送信したい送信先を選択する。また、ユーザーは、タッチパネル１００の表示画面１１１にデータのリストを含む表示画面１１１を表示させ（不図示）、そのリストの中から送信したいデータを選択する。
【００３８】
ユーザーにより送信先とデータとが選択されると、制御部９０（後述）において、それぞれの送信先に対応する送信ジョブが設定され、記憶部８０の所定エリアに記憶される。そして、ユーザーにより同報送信の実行が指示されると、制御部９０は、図４に示すようなジョブ識別画像Ｊ１〜Ｊ９を含む表示画面１１１を表示面１１２に表示させる。
【００３９】
ここで、ジョブ識別画像Ｊ１を例として、ジョブ識別画像について説明する。図４に示すように、ジョブ識別画像Ｊ１は、宛先アイコン１１３と、接続ライン１１４と、を有する。
【００４０】
宛先アイコン１１３は、送信ジョブを識別するための情報であり、例えば「Ｊ１」等の送信ジョブ名（例えば、送信先の名称）が付加的に表示される。宛先アイコン１１３は、図４に示すように、データを送信先にブラウザ／メールソフトを介して送信する場合には封筒の図柄となり、データを送信先にＦＴＰ（アドレス）により送信する場合にはＰＣ（パーソナルコンピューター）の図柄となる。なお、図４には示していないが、データを送信先にファクシミリ機能により送信する場合にはファクシミリ装置の図柄となる。後述するように、宛先アイコン１１３の表示形態は、そのジョブ識別画像がキャンセルの対象となった場合に、他のジョブ識別画像の表示形態と異なるように表示される。
【００４１】
接続ライン１１４は、対応する送信ジョブの通信状態を示す情報である。接続ライン１１４の一方の端部は、宛先アイコン１１３に接続している。また、接続ライン１１４の他方の端部は、通信ネットワーク１１５（図１の通信ネットワークＮＷに相当）に接続している。後述するように、接続ライン１１４の表示形態は、対応する送信ジョブの通信状態に応じて変更される。なお、本実施形態では、接続ライン１１４における表示形態を、実画面の色に対応付けた線種（１本線、２本線、破線等）により表現するが、図４では、接続ライン１１４をすべて同じ線で図示している。
【００４２】
図４において、操作領域１２０は、ジョブ識別画像Ｊ１が表示された領域を含む所定領域である。図４では、操作領域１２０をジョブ識別画像Ｊ１のみ図示するが、操作領域１２０は、ジョブ識別画像Ｊ１〜Ｊ９のそれぞれ設定されている。
【００４３】
また、図４において、通信ネットワーク１１５の一端側には、同報送信を実行する複合機１（自機）を示すアイコン１１６が表示される。また、通信ネットワーク１１５の他端側には、ページ送りのためのアイコン１１７が表示される。ユーザーが指でアイコン１１７を指し示す（センサ部１３０の表面に接触する）ことにより、表示面１１２には、次ページの表示画面１１１が表示される。
【００４４】
なお、本実施形態では、同報送信において、図４に示すような表示画面１１１を表示部１１０に表示する例について説明するが、データを１の送信先へ送信する場合において、同様の表示画面１１１を表示部１１０に表示させてもよい。
【００４５】
再び図３に戻って説明する。センサ部１３０は、ユーザーの指やペン等の接触物（以下、総称して「指」ともいう）が接触した位置及び／又は領域を検出すると共に、検出した情報である操作位置情報を制御部９０へ出力する入力装置である。センサ部１３０は、光透過性を有する。そのため、ユーザーは、センサ部１３０を介して表示部１１０の表示面１１２に表示された表示画面１１１を視認することができる。
【００４６】
センサ部１３０は、ユーザーの指がセンサ部１３０の表面を指し示したときの位置、及びユーザーの指がセンサ部１３０の表面で移動したときの領域を検出する。本実施形態では、ユーザーの指がセンサ部１３０の表面を指し示したときに検出される位置、及びユーザーの指がセンサ部１３０の表面で移動したときに検出される領域を総称して「ジェスチャーの領域」という。
【００４７】
ユーザーは、センサ部１３０を介して表示画面１１１に表示された操作キーやアイコン（図４参照）を視認することができる。ユーザーが、表示画面１１１に表示された操作キーやアイコンの中から、所望の操作キーやアイコンを目標にしてセンサ部１３０の表面を指で指し示すと、ユーザーの指が接触した位置及び／又は領域が検出され、その操作位置情報が制御部９０に出力される。制御部９０は、センサ部１３０から出力された操作位置情報に基づいて、表示部１１０の表示面に表示されているどの操作キーやアイコンに対して操作がなされたかを特定することができる。なお、制御部９０によるジェスチャー領域の検出については後述する。
【００４８】
上述したセンサ部１３０としては、例えば、静電容量方式、抵抗膜方式、電磁誘導方式、表面弾性波方式（又は超音波方式）、赤外線方式、及び荷重検出方式等のセンサが用いられる。
【００４９】
インターフェイス部１５０には、通信ネットワークＮＷ（図１参照）が接続される。１又は複数の端末装置２００から送信されたデータは、通信ネットワークＮＷからインターフェイス部１５０を介して複合機１に受信される。また、複合機１から送信されたデータは、インターフェイス部１５０から通信ネットワークＮＷを介して１又は複数の端末装置２００に送信される。
【００５０】
次に、制御部９０について説明する。制御部９０は、原稿搬送部１０、原稿読取部２０、エンジン部３、操作部７０等を制御する。
【００５１】
また、制御部９０は、同報送信指示受付部９１と、同報送信ジョブ実行部９２と、同報送信ジョブ表示制御部９３と、ジェスチャー検出部９４と、同報送信ジョブ実行制御部９５と、を備える。
【００５２】
同報送信指示受付部９１は、同報送信の実行を指示する操作入力を受付ける。ユーザーが操作部７０のスタートキーを操作すると、同報送信指示受付部９１は、同報送信の実行を指示する操作入力を受付ける。同報送信指示受付部９１は、同報送信の実行を指示する操作入力を受付けると、同報送信ジョブ実行部９２、同報送信ジョブ表示制御部９３及び同報送信ジョブ実行制御部９５に対して、同報送信の実行を指示する操作入力を受付けたことを通知する。
【００５３】
同報送信ジョブ実行部９２は、同報送信指示受付部９１から同報送信の実行を指示する操作入力を受付けたことが通知されると、記憶部８０に記憶されている複数の送信ジョブについて、先頭の送信ジョブから順にデータの送信を実行する。同報送信ジョブ実行部９２は、１つの送信ジョブ毎に、宛先情報に対応する送信先にデータを送信する。
【００５４】
同報送信ジョブ表示制御部９３は、同報送信指示受付部９１から同報送信の実行を指示する操作入力を受付けたことが通知されると、送信ジョブ毎に、送信ジョブを識別する情報としての宛先アイコン１１３及び当該送信ジョブの通信状態を示す接続ライン１１４を有するジョブ識別画像（ジョブ識別子）を含む表示画面１１１を表示部１１０の表示面１１２に表示させる（図４参照）。
【００５５】
また、同報送信ジョブ表示制御部９３は、表示面１１２に表示されるジョブ識別画像の表示形態を、当該ジョブ識別画像に対応付けられた送信ジョブの通信状態に応じて変更する。具体的には、同報送信ジョブ表示制御部９３は、ジョブ識別画像における接続ライン１１４（図４参照）の表示形態を、ジョブ識別画像に対応付けられた送信ジョブの通信状態に応じて変更する。例えば、データの送信中であれば、接続ライン１１４を赤い線で表示させる。待機中であれば、接続ライン１１４をグレーの線で表示させる。データの送信が完了した場合には、接続ライン１１４を青い線で表示させる。エラーが発生した場合には、接続ライン１１４を緑の線で表示させる。
【００５６】
なお、実施形態の図面では、データの送信中であれば、接続ライン１１４を太い１本線（実画面の赤い線に対応）で示す。待機中であれば、接続ライン１１４を細い２本線（実画面のグレーの線に対応）で示す。データの送信が完了した場合には、接続ライン１１４を細い１本線（実画面の青い線に対応）で示す。エラーが発生した場合には、接続ライン１１４を破線（実画面の緑の線に対応）で示す。
【００５７】
また、同報送信ジョブ表示制御部９３は、ジェスチャー検出部９４（後述）で検出されたジェスチャーの領域が、複数のジョブ識別画像のうち、１のジョブ識別画像が表示された領域を含む操作領域１２０の一部に対応する領域である場合に、表示面１１２に表示されるそのジョブ識別画像の表示形態を、他のジョブ識別画像の表示形態と異なるように表示させる。
【００５８】
具体的には、同報送信ジョブ表示制御部９３は、ジェスチャー検出部９４で検出されたジェスチャーの領域が、複数のジョブ識別画像のうち、１のジョブ識別画像における宛先アイコン１１３の領域である場合に、そのジョブ識別画像の接続ライン１１４を点滅表示させる（他のジョブ識別画像の接続ライン１１４は点灯表示）。ここで、１のジョブ識別画像における宛先アイコン１１３の領域とは、例えば、ユーザーがジョブ識別画像の宛先アイコン１１３を指で指し示したときに検出されるジェスチャーの領域である。
【００５９】
なお、以下の説明において、上述したジェスチャーの領域に対応するジョブ識別画像を「キャンセルの対象となるジョブ識別画像」ともいう。また、キャンセルの対象となるジョブ識別画像に対応付けられた送信ジョブを「キャンセルの対象となる送信ジョブ」ともいう。
【００６０】
また、同報送信ジョブ表示制御部９３は、ジェスチャー検出部９４で検出されたジェスチャーの領域が、複数のジョブ識別画像のうち、１のジョブ識別画像が表示された領域を含む操作領域１２０の一部に対応する領域である場合に、キャンセルの対象となる送信ジョブに対して実行可能な処理を示す処理識別子を表示面１１２に表示させる。
【００６１】
具体的には、同報送信ジョブ表示制御部９３は、ジェスチャー検出部９４で検出されたジェスチャーの領域が、１のジョブ識別画像における宛先アイコン１１３の領域である場合に、キャンセルの対象となるジョブ識別画像の接続ライン１１４を点滅表示させると共に、図４に示すように、処理識別子として、キャンセル実行アイコン１１８（ハサミ図柄）を、キャンセルの対象となるジョブ識別画像の操作領域１２０内又はその近傍（以下、「操作領域１２０内」ともいう）に表示させる。キャンセル実行アイコン１１８は、送信ジョブをキャンセルする処理を示す。図４は、キャンセル実行アイコン１１８を、ジョブ識別画像Ｊ３の近傍に表示した例を示す。
【００６２】
また、同報送信ジョブ表示制御部９３は、キャンセルの対象となるジョブ識別画像に対応付けられた送信ジョブに対して、同報送信ジョブ実行部９２がキャンセル実行アイコン１１８（処理識別子）の示す処理を実行している間、キャンセル実行アイコン１１８の示す処理が実行中であることを示す処理実行識別子を表示面１１２に表示させる。具体的には、同報送信ジョブ表示制御部９３は、処理実行識別子として、図４に示すキャンセル実行アイコン１１８を点滅表示させる（図示を省略）。
【００６３】
処理識別子であるキャンセル実行アイコン１１８を点滅表示させて処理実行識別子とすることにより、ユーザーは、キャンセル実行アイコン１１８の処理が実行中であることを直感的に理解することができる。また、表示するアイコンの数を少なくできるため、ユーザーが理解しやすい操作環境を提供することができる。
【００６４】
また、同報送信ジョブ表示制御部９３は、ジョブ識別画像に対応付けられた送信ジョブに対して、同報送信ジョブ実行部９２がキャンセル実行アイコン１１８（処理識別子）の示す処理の実行を完了したときに、キャンセル実行アイコン１１８の示す処理の実行が完了したことを示す処理完了識別子を表示面１１２に表示させる。
【００６５】
具体的には、同報送信ジョブ表示制御部９３は、図４に示すように、処理完了識別子として、キャンセル完了アイコン１１９（バツ印図柄）を表示面１１２に表示させる。キャンセル完了アイコン１１９は、送信ジョブのキャンセルが完了したことを示すアイコンである。キャンセル完了アイコン１１９は、例えば、キャンセルの対象となるジョブ識別画像における接続ライン１１４の上に重ねて表示される。図４は、キャンセル完了アイコン１１９を、ジョブ識別画像Ｊ４の接続ライン１１４の上に重ねて表示した例を示す。
【００６６】
ジェスチャー検出部９４は、タッチパネル１００（センサ部１３０）から出力された操作位置情報に基づいて、ユーザーがタッチパネル１００に対して行ったジェスチャーの領域（座標データ群）を検出する。ジェスチャー検出部９４は、検出したジェスチャーの領域を、同報送信ジョブ実行制御部９５へ送信する。
【００６７】
同報送信ジョブ実行制御部９５は、表示面１１２にキャンセル実行アイコン１１８が表示された状態において、ジェスチャー検出部９４で検出されたジェスチャーの領域が、予め設定されたパターンに対応するジェスチャーの領域であって、ジョブ識別画像を含む操作領域１２０の一部に対応する領域である場合に、そのジョブ識別画像に対応付けられた送信ジョブのうち、未送信の送信ジョブを実行しないように同報送信ジョブ実行部９２を制御する。
【００６８】
ここで、予め設定されたパターンに対応するジェスチャーの領域とは、例えば、ユーザーが表示面１１２に対して指を横方向に移動するジェスチャーをしたときに検出されるジェスチャー領域である。また、ジョブ識別画像を含む操作領域１２０の一部に対応する領域とは、例えば、ユーザーがジョブ識別画像の操作領域１２０を横切るようなジェスチャーをしたときに検出されるジェスチャーの領域である。
【００６９】
また、送信ジョブを実行しないとは、送信ジョブをキャンセルする（取り消す）ことのほか、送信ジョブを実行する順番を繰り下げることや、送信ジョブの実行を保留又は中断すること等を含む。本実施形態では、主に送信ジョブをキャンセルする場合について説明するが、送信ジョブを実行する順番を繰り下げることや、送信ジョブの実行を保留又は中断すること等についても、送信ジョブを実行しないことに含まれる。
【００７０】
上述のように、同報送信ジョブ実行制御部９５は、表示面１１２にキャンセル実行アイコン１１８が表示された状態において、ジェスチャー検出部９４で検出されたジェスチャーの領域が、キャンセルの対象となるジョブ識別画像の操作領域１２０を横切るようなジェスチャーをしたときに検出されるジェスチャーの領域である場合に、そのジョブ識別画像に対応付けられた送信ジョブが未送信であれば、その送信ジョブをキャンセルするように同報送信ジョブ実行部９２を制御する。
【００７１】
すなわち、本実施形態の同報送信ジョブ実行制御部９５は、同報送信の実行中に、ジェスチャー検出部９４で検出された２回のジェスチャー（指で指し示すジェスチャー、指を横方向に移動するジェスチャー）の領域が、いずれも１のジョブ識別画像が表示された領域を含む操作領域１２０の一部に対応する領域の領域である場合に、そのジョブ識別画像に対応付けられた送信ジョブが未送信であれば、その送信ジョブをキャンセルするように同報送信ジョブ実行部９２を制御する。
【００７２】
次に、本実施形態の複合機１において、同報送信を実行する場合の動作について、図５を参照しながら説明する。図５は、制御部９０が同報送信を実行する場合の処理手順を示すフローチャートである。
【００７３】
なお、ユーザーは、同報送信の実行を指示する前に、データの送信先とデータとを、タッチパネル１００を介して選択する。これにより、それぞれの送信先に対応する送信ジョブが設定され、記憶部８０の所定エリアに記憶される。ここでは、９件（図４に示すジョブ識別画像Ｊ１〜Ｊ９）の送信先に対応する送信ジョブが設定されたものとする。なお、９件の送信ジョブにおいて、６件（ジョブ識別画像Ｊ１〜Ｊ６）はブラウザ／メールソフトによるメール送信であり、３件（ジョブ識別画像Ｊ７〜Ｊ９）はＦＴＰ（アドレス）によるデータ送信である。
【００７４】
図５に示すステップＳＴ１０１において、同報送信指示受付部９１は、同報送信の実行を指示する操作入力を受付ける。ユーザーは、操作部７０（図３参照）のスタートキーを操作することにより、同報送信の実行を指示することができる。
【００７５】
ステップＳＴ１０２において、同報送信ジョブ実行部９２は、記憶部８０に記憶されている複数の送信ジョブについて、先頭の送信ジョブから順にデータの送信（同報送信）を実行する。なお、同報送信ジョブ実行部９２が端末装置２００（送信先装置）との間で通信プロトコルを確立する動作、及びデータの送信に関する一連の動作については説明を省略する。
【００７６】
ステップＳＴ１０３において、同報送信ジョブ表示制御部９３は、送信ジョブ毎に、送信ジョブを識別する情報としての宛先アイコン１１３及び当該送信ジョブの通信状態を示す接続ライン１１４を含むジョブ識別画像を表示面１１２に表示させる。表示面１１２に表示されるジョブ識別画像の具体例については後述する。
【００７７】
ステップＳＴ１０４において、同報送信ジョブ実行部９２は、記憶部８０に記憶されているすべての送信ジョブについてデータの送信を完了したか否かを判定する。このステップＳＴ１０４において、同報送信ジョブ実行部９２が、すべての送信ジョブについてデータの送信を完了した（ＹＥＳ）と判定した場合には、本フローチャートの処理を終了する。一方、ステップＳＴ１０４において、同報送信ジョブ実行部９２が、すべての送信ジョブについてデータの送信を完了していない（ＮＯ）と判定した場合には、処理はステップＳＴ１０５へ移行する。
【００７８】
ステップＳＴ１０５において、同報送信ジョブ表示制御部９３は、ジェスチャー検出部９４で検出されたジェスチャーの領域が、１のジョブ識別画像における宛先アイコン１１３の領域か否かを判定する。このステップＳＴ１０４において、同報送信ジョブ表示制御部９３は、ジェスチャー検出部９４で検出されたジェスチャーの領域が、１のジョブ識別画像における宛先アイコン１１３の領域（ＹＥＳ）と判定した場合には、ステップＳＴ１０６の処理へ移行する。一方、ステップＳＴ１０５において、同報送信ジョブ表示制御部９３は、ジェスチャー検出部９４で検出されたジェスチャーの領域が、１のジョブ識別画像における宛先アイコン１１３の領域ではない（ＮＯ）と判定した場合には、ステップＳＴ１０４の処理へ戻る。
【００７９】
なお、後述するように、ユーザーが同報送信の実行を指示した後に、間違った送信先へのデータの送信をキャンセルする場合には、その送信ジョブに対応付けられたジョブ識別画像の宛先アイコン１１３を指で指し示すジェスチャーを行う。この場合、ステップＳＴ１０５において、同報送信ジョブ表示制御部９３は、ジェスチャー検出部９４で検出されたジェスチャーの領域が、ジョブ識別画像における宛先アイコン１１３の領域であると判定するため、処理はステップＳＴ１０６へ移行する。
【００８０】
ステップＳＴ１０６（ステップＳＴ１０５：ＹＥＳ）において、同報送信ジョブ表示制御部９３は、ジェスチャー検出部９４で検出されたジェスチャーの領域が、ジョブ識別画像における宛先アイコン１１３の領域であると判定したときのジョブ識別画像（キャンセルの対象となるジョブ識別画像）について、その接続ライン１１４を点滅表示させる。
【００８１】
ステップＳＴ１０７において、同報送信ジョブ表示制御部９３は、キャンセルの対象となる送信ジョブに対して実行可能な処理を示す処理識別子を表示面１１２に表示させる。本実施形態では、処理識別子として、キャンセル実行アイコン１１８（図４参照）を、キャンセルの対象となるジョブ識別画像の操作領域１２０内に表示させる。
【００８２】
ステップＳＴ１０８において、同報送信ジョブ実行制御部９５は、ジェスチャー検出部９４で検出されたジェスチャーの領域が、キャンセルの対象となるジョブ識別画像の操作領域１２０を横切るようなジェスチャーをしたときに検出されるジェスチャーの領域（以下、「操作領域１２０を横切るようなジェスチャーの領域」ともいう）か否かを判定する。このステップＳＴ１０８において、同報送信ジョブ実行制御部９５は、ジェスチャー検出部９４で検出されたジェスチャーの領域が、操作領域１２０を横切るようなジェスチャーの領域である（ＹＥＳ）と判定した場合には、ステップＳＴ１０９の処理へ移行する。一方、ステップＳＴ１０８において、同報送信ジョブ実行制御部９５は、ジェスチャー検出部９４で検出されたジェスチャーの領域が、操作領域１２０を横切るようなジェスチャーの領域ではない（ＮＯ）と判定した場合には、ステップＳＴ１０８の処理へ戻る。
【００８３】
なお、同報送信ジョブ実行制御部９５は、キャンセル実行アイコン１１８が表示された後、タイマーによる計時をスタートさせ、例えば５秒以内にキャンセルの対象となるジョブ識別画像の操作領域１２０を横切るようなジェスチャーの領域を検出しなければ、キャンセルの対象となるジョブ識別画像の点滅表示やキャンセル実行アイコン１１８の表示を停止させて、ステップＳＴ１０４へ戻るようにしてもよい。
【００８４】
ステップＳＴ１０９（ステップＳＴ１０８：ＹＥＳ）において、同報送信ジョブ実行制御部９５は、キャンセルの対象となる送信ジョブのうち、未送信の送信ジョブをキャンセルするように同報送信ジョブ実行部９２を制御する。
【００８５】
ステップＳＴ１１０において、同報送信ジョブ表示制御部９３は、同報送信ジョブ実行部９２がキャンセルの対象となる送信ジョブをキャンセルする処理を実行している間、キャンセル実行アイコン１１８の示す処理が実行中であることを示す処理実行識別子を表示面１１２に表示させる。本実施形態では、処理実行識別子として、キャンセル実行アイコン１１８を表示面１１２において点滅表示させる。
【００８６】
ステップＳＴ１１１において、同報送信ジョブ表示制御部９３は、同報送信ジョブ実行部９２がキャンセルの対象となる送信ジョブをキャンセルする処理が完了したときに、キャンセル実行アイコン１１８の示す処理の実行が完了したことを示す処理完了識別子を表示面１１２に表示させる。本実施形態では、処理識別子として、キャンセル完了アイコン１１９（図４参照）を表示面１１２に表示させる。
【００８７】
ステップＳＴ１１１の処理を終了した後、処理はステップＳＴ１０４へ戻る。この後、同報送信ジョブ実行部９２が、すべての送信ジョブについてデータの送信を完了したと判定した場合には、本フローチャートの処理を終了する。
【００８８】
次に、本実施形態の複合機１において、同報送信の実行中に、ユーザーが所定の送信ジョブをキャンセルする場合の操作と、その操作による表示画面１１１の変化について説明する。図６〜図１０は、同報送信の実行中に表示面１１２に表示される表示画面１１１を示す説明図である。
【００８９】
まず、ユーザーが操作部７０（図３参照）のスタートキーを操作して、同報送信の実行を指示すると、図６に示すように、ジョブ識別画像Ｊ１〜Ｊ９を含む表示画面１１１が表示面１１２に表示される。図６に示す表示画面１１１において、ジョブ識別画像Ｊ１〜Ｊ３は、接続ライン１１４が太い１本線（実画面の赤い線に対応）で表されている。そのため、ユーザーは、ジョブ識別画像Ｊ１〜Ｊ９のうち、ジョブ識別画像Ｊ１〜Ｊ３に対応付けられた送信ジョブが実行中（データの送信中）であることを理解することができる。
【００９０】
また、図６に示す表示画面１１１において、ジョブ識別画像Ｊ４及びＪ５は、接続ライン１１４が細い１本線（実画面の青い線に対応）で表されている。そのため、ユーザーは、ジョブ識別画像Ｊ１〜Ｊ９のうち、ジョブ識別画像Ｊ４及びＪ５に対応付けられた送信ジョブが完了したことを理解することができる。
【００９１】
また、図６に示す表示画面１１１において、ジョブ識別画像Ｊ６は、接続ライン１１４が破線（実画面の緑の線に対応）で表されている。そのため、ユーザーは、ジョブ識別画像Ｊ６に対応する送信ジョブにエラーが発生したことを理解することができる。
【００９２】
図６に示す表示画面１１１において、ジョブ識別画像Ｊ７〜Ｊ９は、接続ライン１１４が細い２本線（実画面のグレーの線に対応）で表されている。そのため、ユーザーは、ジョブ識別画像Ｊ１〜Ｊ９のうち、ジョブ識別画像Ｊ７〜Ｊ９に対応する送信ジョブが待機中であることを理解することができる。
【００９３】
上述のように、本実施形態の複合機１においては、同報送信の実行が指示されると、図６に示すような表示画面１１１が表示面１１２に表示されるので、ユーザーは、同報送信全体の進行状況を一元的に把握することができる。
【００９４】
次に、図６に示す表示画面１１１の状態において、ユーザーが送信先に間違いのあることに気が付き、その間違った送信先であるジョブ識別画像Ｊ２に対応付けられた送信ジョブをキャンセルしたいと考えたとする。この場合、ユーザーは、図７に示すように、ジョブ識別画像Ｊ２の宛先アイコン１１３を指で指し示すジェスチャーを行う。これにより、表示画面１１１において、キャンセルの対象となるジョブ識別画像Ｊ２の接続ライン１１４が点滅表示される（不図示）。続いて、図８に示すように、キャンセルの対象となるジョブ識別画像Ｊ２の操作領域１２０（不図示）内に、キャンセル実行アイコン１１８（処理識別子）が表示される。そのため、ユーザーは、キャンセルの対象となる送信ジョブに対して実行可能な処理を認識することができる。
【００９５】
次に、ユーザーは、図９に示すように、表示面１１２にキャンセル実行アイコン１１８が表示されている状態において、ジョブ識別画像Ｊ２の操作領域１２０（例えば、接続ライン１１４）を横切るようなジェスチャーを行う。これにより、表示画面１１１において、キャンセル実行アイコン１１８が点滅表示される（不図示）。本実施形態において、キャンセル実行アイコン１１８の点滅表示は、処理実行識別子が表示されていることを示す。ユーザーは、キャンセル実行アイコン１１８が点滅表示されることにより、ジョブ識別画像Ｊ２に対応付けられた送信ジョブに対して、キャンセルの処理が実行中であることを理解することができる。なお、ユーザーがジョブ識別画像Ｊ２の操作領域１２０を横切るようなジェスチャーを行ったときに、キャンセル実行アイコン１１８を、そのジェスチャーの方向に沿って移動するように表示させてもよい。
【００９６】
その後、キャンセルの対象となるジョブ識別画像Ｊ２に対応付けられた送信ジョブのキャンセルが完了すると、図１０に示すように、キャンセルの実行が完了したことを示すキャンセル完了アイコン１１９（処理完了識別子）が、キャンセルの対象となるジョブ識別画像Ｊ２における接続ライン１１４の上に重ねて表示される。
【００９７】
以上のように、ユーザーは、キャンセルしたいジョブ識別画像Ｊ２の宛先アイコン１１３を指で指し示すジェスチャーと、ジョブ識別画像Ｊ２の接続ライン１１４を横切るようなジェスチャーとを行うことにより、ジョブ識別画像Ｊ２に対応付けられた送信ジョブをキャンセルすることができる。すなわち、本実施形態において、ユーザーは、２ステップのジェスチャー（動作）を行うことにより、実行中のジョブ識別画像Ｊ２に対応付けられた送信ジョブをキャンセルすることができる。
【００９８】
以上説明したように、本実施形態の複合機１によれば、例えば、以下のような効果が奏される。
【００９９】
本実施形態の複合機１は、ジェスチャー検出部９４で検出されたジェスチャーの領域が、複数のジョブ識別画像のうち、１のジョブ識別画像における宛先アイコン１１３の領域である場合に、キャンセルの対象となる送信ジョブに対して実行可能な処理を示すキャンセル実行アイコン１１８を表示面１１２に表示させる。そして、複合機１は、キャンセル実行アイコン１１８が表示された状態において、ジェスチャー検出部９４で検出されたジェスチャーの領域が、前記ジョブ識別画像の操作領域１２０を横切るようなジェスチャーの領域である場合に、そのジョブ識別画像に対応付けられた送信ジョブのうち、未送信の送信ジョブをキャンセルする。
【０１００】
このように、本実施形態の複合機１によれば、ユーザーは、同報送信の実行中に、実行させたくない送信ジョブに対応付けられたジョブ識別画像に対して簡単なジェスチャーを２回行うことにより、その送信ジョブをキャンセルすることができる。従って、本実施形態の複合機１によれば、ユーザーは、従来の送信装置のようにキャンセルのための煩雑な操作を行うことなしに、その送信ジョブを速やかにキャンセルすることができる。
【０１０１】
とくに、複合機１では、キャンセル実行アイコン１１８（処理識別子）を表示面１１２に表示させるため、ユーザーは、キャンセルの対象となる送信ジョブに対して実行することができる処理を容易に理解することができる。
【０１０２】
とくに、複合機１では、キャンセル実行アイコン１１８が表示された状態において、ユーザーがジョブ識別画像の操作領域１２０を横切るようなジェスチャー（予め設定されたパターンに対応するジェスチャー）を行わない場合には、キャンセルの対象となる送信ジョブがキャンセルされることがない。そのため、ユーザーの不用意なジェスチャーにより、送信ジョブがキャンセルされることを回避できる。
【０１０３】
また、複合機１は、表示面１１２に表示されるジョブ識別画像（ジョブ識別子）の表示形態を、当該ジョブ識別画像に対応付けられた送信ジョブの通信状態に応じて変更する。そのため、ユーザーは、同報送信の実行中において、それぞれの送信ジョブが送信中か待機中か等を直感的に理解することができる。
【０１０４】
また、複合機１は、ジェスチャー検出部９４で検出されたジェスチャーの領域が、複数のジョブ識別画像のうち、１のジョブ識別画像における宛先アイコン１１３の領域である場合に、そのジョブ識別画像の接続ライン１１４を点滅表示させて、他のジョブ識別画像の接続ライン１１４の表示形態と異なるようにする。そのため、ユーザーは、自らが指定したキャンセルの対象となるジョブ識別画像を確実に判別することができる。
【０１０５】
また、複合機１は、キャンセル実行アイコン１１８の示す処理を実行している間、キャンセル実行アイコン１１８の示す処理が実行中であることを示す処理実行識別子を表示面１１２に表示させる。そのため、ユーザーは、キャンセルの対象となる送信ジョブのキャンセルが実行されていることを容易に確認することができる。
【０１０６】
とくに、複合機１では、処理実行識別子として、キャンセル実行アイコン１１８を点滅表示させるため、ユーザーは、キャンセル実行アイコン１１８の処理が実行中であることを直感的に理解することができる。また、処理実行識別子として、キャンセル実行アイコン１１８を点滅表示させることにより、表示するアイコンの数を少なくできるため、ユーザーが理解しやすい操作環境を提供することができる。
【０１０７】
また、複合機１は、キャンセル実行アイコン１１８の示す処理の実行を完了したときに、キャンセル実行アイコン１１８の示す処理の実行が完了したことを示すキャンセル完了アイコン１１９（処理完了識別子）を表示面１１２に表示させる。そのため、ユーザーは、キャンセルの対象となる送信ジョブのキャンセルが完了したことを容易に確認することができる。
【０１０８】
なお、本発明は、上述した一実施形態に限定されることなく、種々の形態で実施することができる。
【０１０９】
例えば、同報送信ジョブ実行制御部９５は、同報送信の実行中に、ジェスチャー検出部９４で検出されたジェスチャーの領域が、１のジョブ識別画像における宛先アイコン１１３の領域である場合に、そのジョブ識別画像に対応付けられた送信ジョブが未送信であれば、その送信ジョブをキャンセルするように同報送信ジョブ実行部９２を制御してもよい。
【０１１０】
この場合に、ユーザーは、同報送信の実行中に、実行させたくない送信ジョブに対応付けられたジョブ識別画像の宛先アイコン１１３を指し示すジェスチャーを１回行うだけで、その送信ジョブをキャンセルすることができる。従って、ユーザーは、送信ジョブをより速やかにキャンセルすることができる。なお、宛先アイコン１１３を指し示すジェスチャーの代わりに、操作領域１２０の少なくとも一部（例えば、接続ライン１１４）を横切るようなジェスチャーであってもよい。
【０１１１】
また、同報送信ジョブ実行制御部９５は、同報送信の実行中に、ジェスチャー検出部９４で検出されたジェスチャーの領域が、１のジョブ識別画像における宛先アイコン１１３の領域である場合に、そのジョブ識別画像に対応付けられた送信ジョブが実行中であれば、その送信ジョブが実行されないように同報送信ジョブ実行部９２を制御すると共に、記憶部８０において、その送信ジョブを実行する順番を実行待機中の他の送信ジョブよりも繰り下げるように制御してもよい。
【０１１２】
これによれば、ユーザーは、複合機１にキャンセルを指示した送信ジョブについて、そのキャンセルの指示が正しいか否かを検討する時間を得ることができる。すなわち、ユーザーは、キャンセルの指示が正しいか否かを検討した結果、キャンセルの指示が正しいと判断した場合には、実行する順番が繰り下げられた送信ジョブの実行待機中に、改めてキャンセルを指示する操作を行うことができる。
【０１１３】
また、実行する順番が繰り下げられた送信ジョブは、実行の順番が巡ってきた時点で自動的に実行される。そのため、キャンセルの指示が正しいか否かを検討した結果、その送信ジョブをキャンセルする指示が正しくないと判断した場合に、ユーザーは何も操作しなくても、送信ジョブを実行させることができる。すなわち、ユーザーが、その送信ジョブをキャンセルすべきでないと判断した場合に、改めてデータの送信先及び送信するデータを指定して送信ジョブを実行させる手間を省くことができる。
【０１１４】
なお、送信ジョブを実行する順番を繰り下げる代わりに、送信ジョブの実行を保留するように制御してもよい。また、送信ジョブを実行する順番を繰り下げたことや、送信ジョブの実行を保留したことを通知するアイコンを表示面１１２の所定位置に表示させてもよい。このようなアイコンを表示させることにより、ユーザーは、キャンセルの指示が正しいか否かを検討すべき送信ジョブが存在することを直感的に認識することができる。
【０１１５】
また、本実施形態では、キャンセルの対象となる送信ジョブを指定する際に、１のジョブ識別画像を指示する例について説明した。これに限らず、キャンセルの対象となる送信ジョブを指定する際に、２以上のジョブ識別画像を指示することもできる。
【０１１６】
例えば、ユーザーは、キャンセルの対象となる複数のジョブ識別画像について、その宛先アイコン１１３を順番に指で指し示すジェスチャーを行ってもよいし、キャンセルの対象となる複数のジョブ識別画像について、その宛先アイコン１１３又は接続ライン１１４を連続的に横切るようなジェスチャーを行ってもよい。また、ユーザーがそのジェスチャーを行ったときに、キャンセル実行アイコン１１８を、ジェスチャーの方向に沿って移動するように表示させてもよい。
【０１１７】
また、キャンセルの対象となる複数のジョブ識別画像をより簡単に指定することもできる。例えば、図４において、キャンセルの対象となるジョブ識別画像として、ジョブ識別画像Ｊ１〜Ｊ３を指定したいときに、ジョブ識別画像Ｊ１の宛先アイコン１１３の左側の空きスペースを指で指し示すジェスチャーを行った後、ジョブ識別画像Ｊ３の右側の空きスペースを指で指し示すジェスチャーを行う。これにより、ユーザーは、キャンセルの対象となるジョブ識別画像として、指で指し示すジェスチャーを行った２点の間に位置するジョブ識別画像Ｊ１〜Ｊ３を指定することができる。
【０１１８】
また、ユーザーが表示面１１２の空きスペースを指で指し示すジェスチャーを行ったときに、その指し示した点が３点以上ある場合には、最も外側に位置する２点に対するジェスチャーを有効とみなし、その２点の間に位置するジョブ識別画像が指定されたと判断するようにしてもよい。このように、複数のアイコンを同時に指定する場合の操作パターンについては、予め設定された複数の操作パターンの中からユーザーが特定の操作パターンを選択できるようにしてもよいし、ユーザーが所望の操作パターンを設定できるようにしてもよい。
【０１１９】
このように、本実施形態の複合機１では、キャンセルの対象となる複数のジョブ識別画像をまとめて指示することができるため、複数の送信ジョブをキャンセルする操作を簡略化できるだけでなく、操作に要する時間を短縮することができる。そのため、キャンセルしたい送信ジョブが複数ある場合に、１つの送信ジョブをキャンセルする操作をしている間に、キャンセルしたい他の送信ジョブの実行が完了してしまう不具合を少なくすることができる。
【０１２０】
また、本実施形態では、ジェスチャー検出部９４で検出されたジェスチャーの領域が、ジョブ識別画像が表示された領域を含む操作領域１２０（図４に示す破線の範囲）の一部に対応する領域である場合に、同報送信ジョブ表示制御部９３及び同報送信ジョブ実行制御部９５において、そのジョブ識別領域又はそのジョブ識別領域に対応付けられた送信ジョブに対して各種の処理を実行する例について説明した。この例に限らず、ジェスチャー検出部９４で検出されたジェスチャーの領域が、ジョブ識別画像が表示された領域を含む操作領域１２０（図４に示す破線の範囲）の全部に対応する領域である場合に、同報送信ジョブ表示制御部９３及び同報送信ジョブ実行制御部９５において、そのジョブ識別領域又はそのジョブ識別領域に対応付けられた送信ジョブに対して各種の処理を実行するようにしてもよい。すなわち、ユーザーのジョブ識別画像に対するジェスチャーは、そのジョブ識別画像が表示された領域を含む操作領域１２０の一部に対するジェスチャーでもよいし、操作領域１２０の全部に対するジェスチャーでもあってもよい。
【０１２１】
また、本実施形態では、ジョブ識別画像の接続ライン１１４の色（実施形態では線種）を、そのジョブ識別画像に対応付けられた送信ジョブの通信状態に応じて変更する例について説明した。この例に限らず、ジョブ識別画像の宛先アイコン１１３の色、模様、形状等を変更してもよい。
【０１２２】
また、本実施形態では、キャンセルの対象となるジョブ識別画像の接続ライン１１４を点滅表示させる例について説明した。この例に限らず、キャンセルの対象となるジョブ識別画像の宛先アイコン１１３を点滅表示させてもよいし、宛先アイコン１１３及び接続ライン１１４を交互に点滅表示させてもよい。また、キャンセルの対象となるジョブ識別画像において、宛先アイコン１１３及び／又は接続ライン１１４の色を通常とは異なる色に表示させてもよい。更に、キャンセルの対象となるジョブ識別画像の近傍に、そのジョブ識別画像に対応付けられた送信ジョブがキャンセルの対象であることを通知する別のアイコンを表示させてもよい。
【０１２３】
また、本実施形態では、キャンセルの対象となる送信ジョブに対して実行可能な処理を示す処理識別子として、キャンセル実行アイコン１１８を表示させる例について説明した。この例に限らず、キャンセルの対象となる送信ジョブに対して実行可能な処理を示す処理識別子として、キャンセルの対象とすることを取り消す（元に戻す）アイコン、キャンセルの対象とすることを取り消すと共に、その送信ジョブを実行する順番を実行待機中の他の送信ジョブよりも繰り下げるアイコン等を表示させるようにしてもよい。複数の処理識別子を表示させるようにした場合、ユーザーは、使用状況に応じて送信ジョブに対する処理を選択することができるため、より利便性を高めることができる。
【０１２４】
また、本実施形態では、予め設定されたパターンに対応するジェスチャーの領域として、ユーザーが指を横方向に移動したときに検出されるジェスチャーの領域を例として説明した。これに限らず、ユーザーが複数の指を同時に移動したときに検出されるジェスチャーの領域であってもよいし、ユーザーが指を特定の文字、記号、図形等に似せて移動したときに検出されるジェスチャーの領域であってもよい。すなわち、予め設定されたパターンに対応するジェスチャーの領域は、ユーザーが指を移動させたときに検出されるジェスチャーの領域であって、他のジェスチャーの領域と区別することができれば、どのようなものでもよい。
【０１２５】
また、本実施形態では、キャンセル実行アイコン１１８の示す処理が実行中であることを示す処理実行識別子として、キャンセル実行アイコン１１８を点滅表示させる例について説明した。この例に限らず、処理実行識別子として、キャンセル実行アイコン１１８とは別のアイコン（例えば、砂時計の図柄を有するアイコン）を、キャンセル実行アイコン１１８の近傍に表示させたり、このアイコンをキャンセル実行アイコン１１８の代わりに表示させたりしてもよい。
【０１２６】
また、本実施形態では、キャンセル実行アイコン１１８の示す処理の実行が完了したことを示す処理完了識別子として、バツ印図柄のキャンセル完了アイコン１１９を表示させる例について説明した。この例に限らず、処理完了識別子として、例えば「ＯＦＦ」、「キャンセル完了」等の文字を表示させてもよい。また、送信ジョブのキャンセルが完了した送信ジョブに対応付けられたジョブ識別画像の色を、他のジョブ識別画像とは異なる色で表示してもよいし、送信ジョブのキャンセルが完了した送信ジョブに対応付けられたジョブ識別画像を表示面１１２から消去してもよい。
【０１２７】
また、本実施形態では、本発明に係る送信装置を複合機１に適用した例について説明した。これに限らず、本発明は、同報送信の機能を備えたパーソナルコンピューター、ファクシミリ装置等にも適用することができる。すなわち、本発明に係る送信装置は、同報送信の機能を備えた装置全般に適用することができる。
【符号の説明】
【０１２８】
１  複合機（送信装置）
７０  操作部
８０  記憶部
９０  制御部
９１  同報送信指示受付部
９２  同報送信ジョブ実行部
９３  同報送信ジョブ表示制御部
９４  ジェスチャー検出部
９５  同報送信ジョブ実行制御部
１００  タッチパネル
１１０  表示部
１３０  センサ部
２００  端末装置
３００  画像形成システム
ＮＷ  通信ネットワーク
【図１】
0005897089.tif 000002
【図２】
0005897089.tif 000003
【図３】
0005897089.tif 000004
【図４】
0005897089.tif 000005
【図５】
0005897089.tif 000006
【図６】
0005897089.tif 000007
【図７】
0005897089.tif 000008
【図８】
0005897089.tif 000009
【図９】
0005897089.tif 000010
【図１０】
0005897089.tif 000011